(57)【特許請求の範囲】
【請求項１】
配管内を流れる流体に薬液を注入することで、除菌を行う除菌器において、
第１ベース及び前記第１ベースの上面よりもその上面が上方に配置された第２ベースを有する架台と、
前記第２ベース上に配置された前記薬液を貯留させる薬液槽と、
前記架台の前記薬液槽の底面よりも低位置に配置された前記薬液を前記配管内に圧送する薬液注入手段と、
前記薬液槽の内部から前記薬液注入手段への前記薬液の流路を形成する配管ユニットと、
を備え、
前記配管ユニットは、Ｌ字形状に曲折して形成され、その一端側に前記挿通孔に挿通可能なねじ部、前記挿通孔へ前記ねじ部の挿通において前記薬液槽の下面と当接するフランジ、及び、前記ねじ部と螺合するナットを有し、その他端側に上方分岐部及び下方分岐部を有する前記薬液の流路を形成する接続配管と、前記下方分岐部に設けられ、前記接続配管と前記薬液注入手段との管路を形成する連結配管と、を具備し、
前記ねじ部は、その外周面からその内周面まで連続して開口する孔部を有し、
前記ナットは、その外面からその内周面まで連続する溝部を有し、
前記ねじ部と前記ナットとを螺合させることで、前記孔部及び前記溝部が連続し、前記孔部及び前記溝部により前記薬液の流路を形成することを特徴とする除菌器。
【請求項２】
前記配管ユニットは、Ｌ字形状に曲折する部位に、前記薬液の流路を開閉する開閉弁をさらに具備することを特徴とする請求項１に記載の除菌器。
【請求項３】
前記配管ユニットは、前記上方分岐部にその一端が接続されるとともに、前記薬液槽の側面に沿って前記薬液槽外面に設けられ、その他端が開放する排気チューブを具備することを特徴とする請求項１に記載の除菌器。
【請求項４】
前記排気チューブは、前記排気チューブ内の薬液の水位を視認可能な薬液水位スケールと、前記開閉弁を閉止して前記薬液注入手段を運転したときの吐出量を計測可能な注入量スケールと、をその近傍に有することを特徴とする請求項３に記載の除菌器。
【請求項５】
前記薬液槽の下面から突出して前記薬液槽と一体に、その底面が前記薬液槽の底面よりも下方であって、且つ、前記薬液注入手段よりも上方に設けられ、前記配管ユニットの端部を挿通させる挿通孔を有する突出部をさらに具備することを特徴とする請求項１に記載の除菌器。
【請求項６】
前記薬液注入手段は、その吸込口を有し、前記吸込口がその下方に位置するように前記架台に設けられ、
前記連結配管は、前記薬液注入手段の前記吸込口に接続されることを特徴とする請求項１に記載の除菌器。
【発明の詳細な説明】
【技術分野】
【０００１】
本発明は、薬液槽に貯留された薬液を薬液注入手段で注入する除菌器に関する。
【背景技術】
【０００２】
現在、井戸水を給水ポンプで増圧給水することで、井戸水が利用されている。このような井戸水の利用には、井戸水に含有する鉄やマンガンの除去や、除菌が求められている。そこで、これら除鉄・除マンガン及び除菌を行うのに、除菌器及び濾過槽が用いられている。
【０００３】
このような除菌器は、架台上に、薬液を貯留する薬液槽と、井戸水を流通させる連結管と、薬液槽に並設され、薬液を注入する薬液注入手段と、を備え、連結管内の流量に応じて薬液を連結管の注入部から注入する構成が用いられている（例えば、特許文献１参照）。このような除菌器に用いられる薬液槽は、架台上に設けるとともに、除菌器を小型化とするために、その側面の一部を凹状とし、薬液注入手段等を並設するスペースを設ける技術が知られている。
【０００４】
また、除菌器に用いられる薬液は、次亜塩素酸ナトリウムが用いられる。また、除菌器に用いられる薬液注入手段は、注入量を精密に調整可能な注入ポンプとして、ダイヤフラムポンプが用いられる。
【先行技術文献】
【特許文献】
【０００５】
【特許文献１】特開２００６−８１９７６号公報
【発明の概要】
【発明が解決しようとする課題】
【０００６】
上述した除菌器では、以下の問題があった。即ち、上述した除菌器で用いられる次亜塩素酸ナトリウムは、薬液槽に貯留している際に、高温環境や紫外線照射等により、一定期間経過すると、酸素ガスを発生させ、有効塩素濃度が低下する、という特性がある。この次亜塩素酸ナトリウムから発生した酸素ガスがダイヤフラムポンプのケーシング内部に進入すると、所謂ガスロックと呼ばれる薬液の注入量の低下等の虞がある。
【０００７】
また、薬液槽内の塩素酸が上昇すると、例えば、飲用水に用いる場合には、飲用水の水質基準（０．６ｍｇ／ｌ以下）を満足しなくなる虞がある。
【０００８】
なお、薬液注入手段の薬液の吸込口は、薬液槽と薬液注入手段を並設するため、薬液槽の底面よりも高い位置となる。
【０００９】
これらのことから、薬液槽の水位が注入ポンプの吸込口よりも上方に位置している時点で、ガスロックによる薬液注入不良を低減させるために、薬液槽内に薬液を補充するようにする方法が用いられていた。しかし、残存した薬液に、新たな薬液を追加すると、有効塩素濃度が低下した薬液と新たな薬液とが混合することとなり、除菌器の機能の低下の虞もある。
【００１０】
そこで、本発明は、薬液注入不良を防止可能な除菌器を提供することを目的としている。
【課題を解決するための手段】
【００１１】
前記課題を解決し目的を達成するために、本発明の除菌器は次のように構成されている。
【００１２】
本発明の一態様として、配管内を流れる流体に薬液を注入することで、除菌を行う除菌器において、第１ベース及び前記第１ベースの上面よりもその上面が上方に配置された第２ベースを有する架台と、前記第２ベース上に配置された前記薬液を貯留させる薬液槽と、前記架台の前記薬液槽の底面よりも低位置に配置された前記薬液を前記配管内に圧送する薬液注入手段と、前記薬液槽の内部から前記薬液注入手段への前記薬液の流路を形成する配管ユニットと、を備え、前記配管ユニットは、Ｌ字形状に曲折して形成され、その一端側に前記挿通孔に挿通可能なねじ部、前記挿通孔へ前記ねじ部の挿通において前記薬液槽の下面と当接するフランジ、及び、前記ねじ部と螺合するナットを有し、その他端側に上方分岐部及び下方分岐部を有する前記薬液の流路を形成する接続配管と、前記下方分岐部に設けられ、前記接続配管と前記薬液注入手段との管路を形成する連結配管と、を具備し、前記ねじ部は、その外周面からその内周面まで連続して開口する孔部を有し、前記ナットは、その外面からその内周面まで連続する溝部を有し、前記ねじ部と前記ナットとを螺合させることで、前記孔部及び前記溝部が連続し、前記孔部及び前記溝部により前記薬液の流路を形成することを特徴とする除菌器が提供される。
【発明の効果】
【００１３】
本発明によれば、薬液の注入不良を防止可能な除菌器を提供することが可能となる。
【図面の簡単な説明】
【００１４】
【図１】本発明の一実施の形態に係る除菌器の構成を正面から示す平面図。
【図２】同除菌器の構成を側面から一部断面で示す説明図。
【図３】同除菌器の要部構成を示す断面図。
【発明を実施するための形態】
【００１５】
以下、本発明の一実施の形態に係る除菌器１を図１〜３を用いて説明する。  
図１は本発明の一実施の形態に係る除菌器１の構成を正面から示す平面図、図２は除菌器１の構成を側面から示すとともに、架台３を断面で示す説明図、図３は除菌器１に用いられる配管ユニット５の構成を示す断面図である。なお、図１中、Ｂはボルトを、Ｆは井戸水の流れを、Ｇは薬液の流れを、Ｓは信号線を、それぞれ示している。
【００１６】
図１，２に示すように、除菌器１は、架台３と、薬液槽４と、配管ユニット５と、薬液注入手段６と、連結管７と、フランジ８と、制御部９と、を備えている。このような除菌器１は、例えば、その一次側が給水ポンプに、その二次側が濾過槽にそれぞれ接続される。除菌器１は、除菌に用いる薬液として、例えば、次亜塩素酸ナトリウムが用いられ、給水ポンプから給水された水を除菌するとともに、含有する鉄を析出可能に形成されている。
【００１７】
なお、給水ポンプは、例えば、井戸に配置され、井戸水を揚水可能に形成され、その吐出口に接続された接続管１０１を介して連結管７の一次側のフランジ８に接続されている。濾過槽は、例えば、除菌器により析出された鉄、及び、井戸水中のマンガンを除去可能に形成されている。濾過槽は、その吸込口に接続された接続管１０２を介して、連結管７の二次側のフランジ８に接続されている。
【００１８】
架台３は、高さが異なる二段の上面を有している。具体的には、図２に示すように、架台３は、設置面に載置させる脚部１１を有し、この脚部１１上に、第１ベース１２と、壁部１３と、第２ベース１４と、を備えている。第１ベース１２は、その上面に連結管７を載置可能に形成されている。
【００１９】
壁部１３は、第１ベース１２の後端縁に設けられるとともに、第２ベース１４と連続する方形の枠体状に形成されている。なお、壁部１３は、脚部１１と連続して設けられる。壁部１３は、その中途部に、薬液注入手段６を配置可能に形成されている。第２ベース１４は、壁部１３の上端縁に設けられ、その上面に、薬液槽４を配置可能に形成されている。なお、第１、第２ベース１２，１４及び壁部１３は、一体に成形されている。
【００２０】
第１ベース１２及び第２ベース１４は、壁部１３により連続し、第２ベース１４は、その上面が、第１ベース１２の上面よりも上方に配置される。また、第２ベース１４の上面は、壁部１３に設けられる薬液注入手段６よりも上方に位置する。また、壁部１３及び第２ベース１４は、その下方の脚部１１において開口する中空の箱状を形成する。
【００２１】
薬液槽４は、樹脂材料で形成され、その内部に所定の量の薬液を貯留可能に形成されている。薬液槽４は、第２ベース１４の上面に固定可能に形成されている。薬液槽４は、その下面４ａの一部が、第２ベース１４上に配置されるとともに、下面４ａの他部が第１ベース１２上方に位置する。薬液槽４は、第１ベース１２上に位置する下面４ａから突出する突出部１６と、薬液をその内部に供給する供給口１８と、を備えている。
【００２２】
この突出部１６は、第１ベース１２の上方に位置する薬液槽４の内底面が一部凹むことで形成され、配管ユニット５の一部を挿通する挿通孔１６ａが形成されている。これにより、薬液槽４底部に凹凸があっても、突出部１６の底面（内底面）が最下面に位置することとなる。供給口１８は、薬液を注入可能に形成されている。また、供給口１８には、蓋体１８ａにより、閉塞されている。
【００２３】
配管ユニット５は、薬液槽４及び薬液注入手段６間に接続され、薬液槽４内から薬液注入手段６への薬液の流路を形成する。具体的には、図３に示すように、配管ユニット５は、接続配管２１と、排気チューブ２２と、連結配管２３と、開閉弁２４と、を備えている。
【００２４】
接続配管２１は、一端側が薬液槽４と接続されるとともに、他端側が２方向に分岐して形成される。具体的には、接続配管２１は、Ｌ字形状に曲折して形成されたベンド管であって、その一端側に、ねじ部３１と、フランジ３２と、ナット３３と、を備えている。また、接続配管２１は、その他端側に、上方及び下方の２方向に分岐する上方分岐部３４及び下方分岐部３５を備えている。また、接続配管２１は、その曲折部に、開閉弁２４の取付部３６が設けられている。
【００２５】
ねじ部３１は、接続配管２１の一端側に形成され、その外面に形成された雄ねじである。このねじ部３１は、その外周面の一部から内周面の一部まで連続して開口する孔部３１ａを有している。ねじ部３１は、突出部１６の挿通孔１６ａに挿通可能に形成されている。フランジ３２は、ねじ部３１を挿通孔１６ａに挿通した際に、突出部１６の下面に当接可能に形成されている。また、フランジ３２は、突出部１６の下面との当接面に、パッキンを取付可能に形成されている。
【００２６】
ナット３３は、挿通孔１６ａに挿通されたねじ部３１と螺合可能に形成されている。また、ナット３３は、溝部３３ａを備えている。溝部３３ａは、ナット３３の外面の一部、具体的には、ねじ部３１と螺合した際に薬液槽４の内底面に当接し、その内部に形成された雌ねじ部まで連続する溝である。
【００２７】
このようなナット３３は、その溝部３３ａが、ねじ部３１の孔部３１ａと連続することで、孔部３１ａ及び溝部３３ａにより、薬液槽４内、特に、突出部１６の内部から接続配管２１への薬液の流れＧを形成する。
【００２８】
排気チューブ２２は、その一端が上方分岐部３４に接続された透明又は薬液が視認可能なチューブである。排気チューブ２２は、例えば、排気チューブ２２内の薬液の水位を視認可能とするために、浮遊球３８がその内部に挿入されている。排気チューブ２２は、上方分岐部３４から上方に向って薬液槽４の外面に沿って、薬液槽４に固定されている。排気チューブ２２は、例えば、薬液槽４内の薬液の容量が視認可能な水位スケール３９と、注入ポンプ４１の注入量を計測可能な注入量スケール４０と、が設けられている。
【００２９】
排気チューブ２２は、水位スケール３９及び注入量スケール４０がその近傍、例えば、薬液槽４の外面に設けられている。例えば、水位スケール３９及び注入量スケール４０は、シール等により製作され、薬液槽４の外面に貼り付けられることで形成される。排気チューブ２２は、その他端が大気開放となるように、開口している。
【００３０】
連結配管２３は、その一端が下方分岐部３５に接続されるとともに、その他端が薬液注入手段６に接続されている。連結配管２３は、可撓性を有している。例えば、連結配管２３は可撓性を有し、薬液に耐性を有する樹脂チューブ等により形成されている。
【００３１】
開閉弁２４は、接続配管２１の上方分岐部３４及び下方分岐部３５の一次側の曲折部に設けられた取付部３６であって、薬液槽４の下方に位置して設けられ、接続配管２１の管路を手動により開閉可能に形成されている。
【００３２】
薬液注入手段６は、薬液を一定量圧送し、連結管７に注入可能な注入ポンプ４１と、この注入ポンプ４１及び連結管７を接続させるとともに、連結管７内に注入した薬液及び井戸水の逆流を防止可能に形成された薬液注入部４２と、を備えている。また、薬液注入手段６は、注入ポンプ４１と薬液注入部４２とを接続する連結配管２５を備えている。
【００３３】
なお、連結配管２５は、連結配管２３と同様に、可撓性を有する樹脂チューブ等により形成されている。
【００３４】
注入ポンプ４１は、例えば、ソレノイドにより往復動するダイヤフラムポンプが用いられる。詳しくは、注入ポンプ４１は、ポンプケーシング４４にダイヤフラムポンプが、円筒状の外郭部材４５にソレノイドがそれぞれ収納されている。また、注入ポンプ４１は、ポンプケーシング４４に連続する薬液の吸込口４６及び吐出口４７を備えている。なお、吸込口４６は、ポンプケーシング４４の下部に設けられる。吸込口４６は、連結配管２３に接続される。また、吐出口４７は、ポンプケーシング４４の上部に設けられる。吐出口４７は、連結配管２５に接続される。
【００３５】
このような注入ポンプ４１は、薬液槽４の内底面よりも下方に位置する壁部１３に固定されている。注入ポンプ４１は、外郭部材４５に収納されたソレノイドが壁部１３内部に位置して配置される。なお、注入ポンプ４１は、壁部１３に、ボルト等により固定される。
【００３６】
薬液注入部４２は、連結配管２５を介して、注入ポンプ４１の吐出口４７に接続されている。
【００３７】
連結管７は、その一次側に設けられた流量検出器４８と、その二次側に設けられ、薬液注入部４２を連結管７の管路内に薬液を注入可能に配設する注入部４９と、を備えている。また、連結管７は、その両端面に、フランジ８をボルトＢ等により取付可能に形成されている。
【００３８】
流量検出器４８は、制御部９に信号線Ｓにより接続され、検出した流量を制御部９に送信可能に形成されている。流量検出器４８は、例えば、連結管７内の流体の流れに応じた回転翼及び回転翼の回転を検出する磁石を有し、この回転数から流量を検出可能に形成されている。フランジ８は、除菌器１の一次側及び二次側に設けられる接続管１０１、１０２と接続可能に形成されている。
【００３９】
制御部９は、例えば、流量に基づいて、注入ポンプ４１から注入される薬液量を制御可能に形成されている。具体的には、制御部９は、流量に対する薬液の注入量を記憶する記憶部９ａを有している。制御部９は、流量検出器４８により検出された流量に応じて、記憶部９ａに記憶された流量に対する薬液の注入量から、注入する薬液の量を算出する。
【００４０】
制御部９は、この算出した薬液の量を注入するように、注入ポンプ４１の往復動の単位時間当たりのストローク数を制御し、注入する薬液の量を制御可能に形成されている。
【００４１】
このように構成された除菌器１は、井戸水の流れＦに示すように、連結管７に接続された一次側の接続管１０１から圧送された井戸水の流量を流量検出器４８により検出する。制御部９は、流量検出器４８により検出された流量及び記憶部９ａに記憶された薬液の注入量に基づいて、薬液注入手段６の薬液の注入量を制御する。
【００４２】
薬液注入手段６は、制御部９で制御された薬液を薬液注入部４２から注入部４９を介して連結管７内へと注入する。注入された薬液は、連結管７内で井戸水と混合し、除菌、及び、鉄の析出を行う。なお、このとき、連結管７の二次側に接続された接続管１０２を介して薬液及び井戸水が連結管７の二次側へと流れる。
【００４３】
このような除菌器１によれば、薬液が貯留される薬液槽４が、架台３の第２ベース１４の上面に固定されることで、薬液槽４の底部は、壁部１３に設けられる薬液注入手段６よりも高い位置となる。また、注入ポンプ４１の吸込口４６は、注入ポンプ４１の下方に配置することで、薬液槽４の底部から垂直方向に離間することとなる。
【００４４】
このため、注入ポンプ４１の吸込口４６には、薬液の押し込み圧力が作用し、注入ポンプの運転時に、薬液がポンプケーシング４４内に流入し、入れ替わりに薬液から発生したガスを押し出すことで、ポンプケーシング４４内に当該ガスが溜まることを防止する。これにより、注入ポンプ４１のガスロックの発生を防止し、ガスロック等による揚水不能を抑制することが可能となる。
【００４５】
また、薬液槽４の底部は、注入ポンプ４１よりも高い位置に位置するため、薬液槽４内に貯留された薬液を使い切ることが可能となる。また、薬液槽４から注入ポンプ４１への流路の一を形成する配管ユニット５は、接続配管２１の端部に設けられた、薬液槽４の突出部１６に位置するねじ部３１及びナット３３に、孔部３１ａ及び溝部３３ａを設けることで、これら孔部３１ａ及び溝部３３ａにより、薬液槽４の底部に貯留された薬液、さらには、突出部１６内に貯留する薬液をも、極力使用することが可能となる。このように、薬液槽４内に貯留された薬液を使い切ることで、有効塩素濃度が低下した薬液に新たに薬液を追加することがない。このため、薬液の機能の低下、及び、ガスロックの発生を防止することが可能となる。
【００４６】
また、注入ポンプ４１の駆動、特に、ソレノイドの作動により発生する振動は、壁部１３を介して第２ベース１４に伝達し、第２ベース１４に伝達された振動が薬液槽４にも伝達することとなる。このため、薬液槽４内で発生した、薬液（次亜塩素酸ナトリウム）の分解ガスが、薬液槽４の壁面に気泡として付着していても、振動により、液面から遊離させ、浮揚させることで、薬液中のガス抜きを行うことが可能となる。これにより、薬液中の分解ガスが、薬液と一緒に注入ポンプ４１へと流れることを防止し、ガスロックの発生を防止可能となる。
【００４７】
また、架台３は、壁部１３と第２ベース１４により箱状に形成された壁部１３の中途部に注入ポンプ４１を配置させ、その一部、特にソレノイドが配置された部位を壁部１３の中空部に位置させることで、注入ポンプ４１から発生する騒音を、壁部１３内部で反射させることで、吸収し、騒音を低減することが可能となる。
【００４８】
また、配管ユニット５は、開閉弁２４を設けることで、通常、薬液を井戸水中に注入する際に開閉弁２４を開としておけばよい。また、開閉弁２４の二次側に排気チューブ２２と連結管７とを設けることで、薬液槽４内で発生したガスが、排気チューブ２２へと移動し、大気に放出することができる。同様に、配管ユニット５から吸込口４６までに位置する薬液で発生した気泡は、排気チューブ２２から放出することが可能となる。これらのことから、連結管７及び注入ポンプ４１へのガスの浸入を防止し、ガスロックの発生を防止することが可能となる。
【００４９】
また、排気チューブ２２は、上端を大気開放とし、浮遊球３８により水位の視認性を向上するとともに、水位スケール３９を設けることで、残存する薬液の容量の視認も容易となる。
【００５０】
また、除菌器１のメンテナンス等において、開閉弁２４を閉とし、注入ポンプ４１を駆動することで、注入ポンプ４１により吐出される薬液は、排気チューブ２２に残存する薬液となる。このため、注入量スケール４０を設けることで、腕時計等の時間を計測する装置を用い、注入ポンプ４１の注入量を容易に計測することが可能となる。
【００５１】
なお、開閉弁２４は、薬液槽４の下面４ａの下方に位置することで、薬液槽４内の薬液を略全て通過させることが可能となり、薬液槽４内に薬液が残存することを防止できる。
【００５２】
また、連結配管２３は、可撓性を有することで、ドレンチューブとして使用することができる。具体的には、薬液槽４内の薬液を排液するときには、開閉弁２４を閉とし、連結配管２３を注入ポンプ４１から取り外す。次に、連結配管２３を排液タンク等のドレンパンへと撓ませて案内し、開閉弁２４を開とすることで、薬液槽４内の薬液を排出することが可能となる。このように、連結配管２３は、可撓性を有することで、薬液槽４に別途ドレン口等を設ける必要がない。
【００５３】
上述したように、本実施の形態に係る除菌器１によれば、薬液槽４内の薬液を確実に使用するとともに、発生した分離ガスを放出させることで、注入ポンプ４１におけるガスロックを防止し、薬液の注入不良を防止することが可能となる。また、薬液を確実に使い切り、薬液の残存を防止することで、機能の低下した薬液の使用を防止し、除菌及び鉄析出の機能低下を防止することが可能となる。これらのことから、除菌器１の信頼性を向上することが可能となる。
【００５４】
なお、本発明は前記実施の形態に限定されるものではない。例えば、上述した例では、連結配管２３は、可撓性を有する樹脂チューブを用い、ドレンチューブを兼ねる構成を説明したがこれに限定されない。例えば、薬液槽の下面、又は、配管ユニットに別途ドレン口にドレンホースを設け、接続配管２１は金属製の配管を用いる構成でもよい。これにより、別途ドレンホースを必要とする構成となるが、例えば、高温又は低温下での使用等の樹脂チューブの使用が好ましくない環境下において、連結配管２３の劣化を防止することが可能となる。
【００５５】
また、上述した例では、第１ベース１２は、脚部１１上の一部に設けられ、脚部１１の他部に壁部１３及び第２ベース１４を設ける構成としたが、これに限定されない。例えば、第１ベースを、脚部上の全体に設け、第１ベース上に、連結管、壁部及び第２ベースを設ける構成であってもよい。さらに、上述した例では、薬液槽４に突出部１６を設け、この突出部１６に配管ユニット５を設ける構成を記載したが、これに限定されない。例えば、薬液槽４に突出部１６を設けない構成であってもよい。この他、本発明の要旨を逸脱しない範囲で種々変形実施可能である。
以下に、本願出願の当初の特許請求の範囲に記載された発明を付記する。
［１］  配管内を流れる流体に薬液を注入することで、除菌を行う除菌器において、
第１ベース及び前記第１ベースの上面よりもその上面が上方に配置された第２ベースを有する架台と、
前記第２ベース上に配置された前記薬液を貯留させる薬液槽と、
前記架台の前記薬液槽の底面よりも低位置に配置された前記薬液を前記配管内に圧送する薬液注入手段と、
前記薬液槽の内部から前記薬液注入手段への前記薬液の流路を形成する配管ユニットと、
を備えることを特徴とする除菌器。
［２］  前記配管ユニットは、Ｌ字形状に曲折して形成され、その一端側に前記挿通孔に挿通可能なねじ部、前記挿通孔へ前記ねじ部の挿通において前記薬液槽の下面と当接するフランジ、及び、前記ねじ部と螺合するナットを有し、その他端側に上方分岐部及び下方分岐部を有する前記薬液の流路を形成する接続配管と、前記下方分岐部に設けられ、前記接続配管と前記薬液注入手段との管路を形成する連結配管と、を具備することを特徴とする［１］に記載の除菌器。
［３］  前記ねじ部は、その外周面からその内周面まで連続して開口する孔部を有し、
前記ナットは、その外面からその内周面まで連続する溝部を有し、
前記ねじ部と前記ナットとを螺合させることで、前記孔部及び前記溝部が連続し、前記孔部及び前記溝部により前記薬液の流路を形成することを特徴とする［２］に記載の除菌器。
［４］  前記配管ユニットは、Ｌ字形状に曲折する部位に、前記薬液の流路を開閉する開閉弁をさらに具備することを特徴とする［２］に記載の除菌器。
［５］  前記配管ユニットは、前記上方分岐部にその一端が接続されるとともに、前記薬液槽の側面に沿って前記薬液槽外面に設けられ、その他端が開放する排気チューブを具備することを特徴とする［２］に記載の除菌器。
［６］  前記排気チューブは、前記排気チューブ内の薬液の水位を視認可能な薬液水位スケールと、前記開閉弁を閉止して前記薬液注入手段を運転したときの吐出量を計測可能な注入量スケールと、をその近傍に有することを特徴とする［５］に記載の除菌器。
［７］  前記薬液槽の下面から突出して前記薬液槽と一体に、その底面が前記薬液槽の底面よりも下方であって、且つ、前記薬液注入手段よりも上方に設けられ、前記配管ユニットの端部を挿通させる挿通孔を有する突出部をさらに具備することを特徴とする［１］に記載の除菌器。
［８］  前記薬液注入手段は、その吸込口を有し、前記吸込口がその下方に位置するように前記架台に設けられ、
前記連結配管は、前記薬液注入手段の前記吸込口に接続されることを特徴とする［２］に記載の除菌器。
【符号の説明】
【００５６】
１…除菌器、３…架台、４…薬液槽、４ａ…下面、５…配管ユニット、６…薬液注入手段、７…連結管、８…フランジ、９…制御部、９ａ…記憶部、１１…脚部、１２…第１ベース、１３…壁部、１４…第２ベース、１６…突出部、１６ａ…挿通孔、１８…供給口、１８ａ…蓋体、２１…接続配管、２２…薬液水位スケール、２３…連結配管（吸込側）、２４…開閉弁、２５…連結配管（吐出側）、３１…ねじ部、３１ａ…孔部、３２…フランジ、３３…ナット、３３ａ…溝部、３４…上方分岐部、３５…下方分岐部、３６…取付部、３８…浮遊球、３９…水位スケール、４０…注入量スケール、４１…注入ポンプ、４２…薬液注入部、４４…ポンプケーシング、４５…外郭部材、４６…吸込口、  ４７…吐出口、４８…流量検出器、４９…注入部、１０１、１０２…接続管、Ｂ…ボルト、Ｆ…井戸水の流れ、Ｇ…薬液の流れ、Ｓ…信号線。
【図１】
0005618692.tif 000002
【図２】
0005618692.tif 000003
【図３】
0005618692.tif 000004